(57)【要約】      （修正有）【課題】  本発明が解決しようとする課題は、足部・脚部および腰部の関節痛、筋肉痛及び疲労等の治癒を主目的にすることとし、足部の全身の神経組織がつながっている部分を、刺激あるいは細胞活性させることで、足部、脚部および腰部の関節痛、筋肉痛及び疲労等が治癒できる素材と足温器の組み合わせを提供することにある。【解決手段】  堆積礫岩天然鉱石の板として、厚さ３０ｍｍ、縦３００ｍｍ、横２５０ｍｍの形状に加工した石板を作成し、その石板の下層に、シリコンゴムにニクロム線の線状回路をラミネートにて一体成型した面状ヒーター部を裏面に取り付け、更に感熱センサー及び電源及び加熱コントロール器を設ける構造とした。【選択図】図１
2005342478.tif 000002
【特許請求の範囲】
【請求項１】
堆積礫岩天然鉱石の石板と、その裏面に面状ヒーター部を設けた２層構造からなる遠赤外線を高放射することを特徴とする治癒機能を有する足温器
【請求項２】
中層部の天然鉱石の石板或いはセラミック板の上層に、プラスイオンよりもマイナスイオンの方が多く同時生成しつつ、同時に遠赤外線が増幅し放射する釉薬混合体組成物を塗布し、焼き付けた上層部と、下層部に面状ヒーター部を設けた３層構造からなることを特徴とする治癒機能を有する足温器
【請求項３】
前記釉薬混合体組成物として、釉薬と堆積礫岩粉末と希土元素類を含む天然鉱石粉末の混合体組成物からなる請求項２記載の治癒機能を有する足温器。
【発明の詳細な説明】
【技術分野】
【０００１】本発明は、治癒機能を有する足温器を主とし、足温器の石板部から、遠赤外線の高放射或いはプラスイオンよりもマイナスイオンの方が多く同時生成しつつ、同時に遠赤外線が増幅し放射することを図った足部並びに全身部の関節痛及び筋肉痛、腰痛、肩凝り、疲労等の治癒効果に有用な足温器に関する。
【背景技術】
【０００２】従来、足温器は、かつて冬場の足部の暖房機器として広く使用されていたが、エアコンやストーブの普及と発展により不必要なものとなり、販売されてなくなった暖房機器の一つである。唯一、残っている物といえば、激寒地域で一部使用されている湯タンポぐらいである。【０００３】近年の健康意識の高まりとともに、第二の心臓部と言われる足部の健康や癒しの健康機器が多く販売されるようになったり、足裏は全身の神経が繋がっている部分でもあり、足の健康と治療等が高い治癒効果をもたらすと認識されるようになってきた。代表的なものでは、足マッサージ器がある。また最近は温泉ブームであるが、温泉地の足湯が、癒し効果があり心地よいと人気が出ている。【０００４】一方、足温器とは異なるが、遠赤外線の伝熱効率の高さを利用した機器では、加熱部の金属に遠赤外線セラミックスを焼き付けた遠赤外線ヒーターと呼ばれるものがあり、それをヒーター部に使用した電気ストーブや乾燥ヒーター及びオーブン調理器が良く知られている。
遠赤外線セラミック等の組成物は、常温でも遠赤外線を放射するものであるが、加熱すればするほど遠赤外線が増幅し放射することが知られ、この原理を応用して伝熱効率を上昇させた機器がある。これらの機器は、主として、ヒーター（暖房器）としての利用されている。【０００５】更に、ヒーターでの利用以外に、マイナスイオン発生させる暖房装置として、放熱板の表面にセラミックパウダーをコーティングし、その裏面に面状ヒーターを設けた暖房装置で、コーティングしたファインセラミックから発生されるマイナスイオンと、セラミック遠赤外線を発生するものがあるが、実際は、放熱板自体にマイナスイオン発生効力はなく、暖房装置としての伝熱効率は高いが、セラミックパウダーのコーティングによるマイナスイオンの発生効率はあまり高いとは言えなかった。また局部的に暖めるような、（例えば足裏など）ものではなかった。
【特許文献】特開平２００３−０５１３６８
【発明の開示】
【発明が解決しようとする課題】
【０００６】本発明が解決しようとする課題は、足部・脚部および腰部の関節痛、筋肉痛及び疲労等の治癒を主目的にすることとし、足部の全身の神経組織がつながっている部分を、刺激あるいは細胞活性させることで、足部、脚部および腰部の関節痛、筋肉痛及び疲労等が治癒できる素材と足温器の組み合わせを提供することにある。【０００７】また、更なるマイナスイオン、遠赤外線の効果がなされる構造とし、人体の組織細胞を活性化して治癒効果を促し、従来の温熱・暖房を目的とした遠赤外線の利用よりも、マイナスイオンと遠赤外線をより有効的な治療機器に応用した製品を提供することにある。
【課題を解決するための手段】
【０００８】上記の問題点に鑑みて、素材としては、遠赤外線を高放射する堆積礫岩天然鉱石の石板あるいは、プラスイオンよりもマイナスイオンの方が多く同時生成しつつ、同時に遠赤外線が増幅し放射する釉薬混合組成物を、天然石板或いはセラミック板の上層に焼付けた石板を利用することとし、上記の石板の下層に、電源部と接続する樹脂と金属回路をラミネート一体成型した面状ヒーターを取り付ける構造とする。【０００９】本発明において、堆積礫岩天然鉱石の石板は、その鉱石成分として、酸化シリカ、酸化アルミニウム、酸化鉄、酸化チタン、酸化カルシウム、酸化マグネシウム、酸化ナトリウム、酸化カリウム、酸化マンガン、酸化ホウ素、酸化クロム、酸化ジルコニウムを成分質量とする天然鉱石である。天然鉱石であるため、より好ましくは、成分質量％が、酸化シリカ４７〜５５、酸化アルミニウム１０〜１４、酸化鉄６〜８、酸化チタン０．７〜１．０、酸化マグネシウム６〜８、酸化ナトリウム２〜４、酸化カリウム０．０８〜０．３、酸化マンガン０．１〜０．２、酸化ホウ素０．１〜０．２、酸化クロム０．０７〜０．２、酸化ジルコニウム０．０１〜０．０２の成分質量を有する範囲の天然鉱石を用いることが出来る。
堆積礫岩天然鉱石の石板の形状として、厚さ５〜５０ｍｍ、縦２５０〜３５０ｍｍ、横２５０〜３５０ｍｍの立方体或いは直方体の石板であり、より好ましくは、遠赤外線の高放射を考慮した形状として、厚さ２０〜３０ｍｍ、縦２５０〜３００ｍｍ、横２５０〜３００ｍｍの立方体或いは直方体を用いることが出来る。
また、堆積礫岩天然鉱石の粉末は、粒径として、１ｍｍ以下に粉砕したものを用いる事が出来る。より好ましくは、粒径が３０ミクロン以下に粉砕したものが、混合による増幅効果等に有益である。【００１０】本発明の釉薬として、その釉薬の成分は、色々な天然鉱石を成分としているが、主な成分としては、珪石、粘土、長石、陶石、灰類のそれぞれの混合鉱石の粉末である。その化学成分は、珪酸、アルミナ、アルカリ類（カリウム、ナトリウム、カルシウム、マグネシウム）のそれぞれの混合物である。釉薬の種類として、調合方法によって異なり、主として、透明釉、白萩釉、鉄青磁釉、飴釉等の数１０種類の釉薬があり、これらの釉薬を、焼き方に応じて、それぞれについて使用することが出来る。【００１１】本発明において、希土元素類を含む天然鉱石としては、フェルグソン石、モナズ石、バストネス石、ゼノタイム石、コルンブ石、ベタホ石、サマルスキー石、タンタル石、ウラン石、方トリウム石、ゴム石、ガドリン石等がある。これらの鉱石のうち、極微弱な放射線を放出し、人体に悪影響を及ぼさない天然鉱石として、最も好ましいものは、モナズ石である。
上記の天然鉱石の粒径として、１ｍｍ以下に粉砕したものを用いる事が出来る。より好ましくは、粒径が３０ミクロン以下に粉砕したものが、混合による増幅効果等に有益である。【００１２】本発明の釉薬混合体組成物として、釉薬１００重量部数に対し、希土元素類を含む天然鉱石粉末１０〜５０重量部数、堆積礫岩天然鉱石粉末１０〜５０重量部数の混合比率の混合体を用いる事が出来、より好ましくは、釉薬１００重量部数に対し、希土元素類を含む天然鉱石粉末１０〜３０重量部数、堆積礫岩天然鉱石粉末１０〜３０重量部数の混合比率の混合体であれば、焼き入れ後の外観が美麗になりより有益である。【００１３】本発明の石板として、天然鉱石の大理石、御影石、堆積礫岩、電気石等の石板を用いる事が出来る。
また、セラミック板として、人造大理石、タイル、合成セラミック等の板を用いる事が出来る。【００１４】本発明の面状ヒーターとして、シリコンゴム或いはポリイミド樹脂に、電源部と接続するニクロム線等の金属回路をラミネート一体成型した面状ヒーター及びシリコンゴム或いはポリイミド樹脂に、電源部と接続するステンレス箔を一体成型した面状ヒーターを用いる事が出来る。より好ましくは、足温器が治療器としての機能を有することを目的としているので、低温時４０〜７０℃の加熱安定性及び安全性確保のため、シリコンゴムに、ニクロム線等の金属回路をラミネート一体成型した面状ヒーターを用いるのがよい。
【発明の効果】
【００１５】本発明は、遠赤外線を高放射する堆積礫岩天然鉱石の石板に面状ヒーターを設けた足温器並びに、プラスイオンよりもマイナスイオンの方が多く同時生成しつつ、同時に遠赤外線を増幅放射する釉薬混合物を石板等に塗布し、焼成した２層の石板の下部に面状ヒーターを設けた足温器により、足部及び腰部等の関節痛、筋肉痛、腰痛及び疲労に、治癒効果が認められた。
【実施例】
【００１６】以下に、図面を参照し実施例と比較例をあげて詳細に本発明を説明する。
「実施例１」
堆積礫岩天然鉱石の板として、厚さ３０ｍｍ、縦３００ｍｍ、横２５０ｍｍの形状に加工した石板１を作成し、その石板１の下層に、図３の断面図のようにシリコンゴムにニクロム線等の金属回路３をラミネート４にて一体成型した面状ヒーター部２とを図２のように取り付け、更に感熱センサー及び電源及び加熱コントロール器５を設ける構造とし、上述した石板１に図１のように、枠体６を取り付ける。【００１７】「比較例１」
上記、実施例の比較として、石板１として、同形状に加工し、その大理石板の下層に、上記と同じ構造の面状ヒーター部２を設けた足温器を作成した。【００１８】「実施例２」
釉薬混合物の配合処方として、表１に示した。
釉薬として、白萩釉を用い、その配合成分は、長石４０、ワラ灰３０、石灰１５、土灰１５を、いずれも重量部数混合したものを用いた。
モナズ石粉末として、１５ミクロン以下に粉砕した粉末を用いた（比較例２）。堆積礫岩天然鉱石粉末（比較例３）として、１５ミクロン以下に粉砕したものを用いた。
【表１】
2005342478.tif 000003
上記の配合を、５Ｌ攪拌機にて２時間攪拌して、実施例２及び比較例２，３の釉薬混合物の泥状の組成物を作成した。
その各々の泥状の組成物を、厚さ３０ｍｍ、縦３００ｍｍ、横２５０ｍｍの素焼きタイルの上面に、ｗｅｔ塗布量３０ｇを塗布して、常温にて２４時間乾燥熟成して、電気窯にて、１２００℃、１０時間焼成して、２層の板を作成した。その各々の２層の板の下層部に、実施例１と同じ面状ヒーター部２の温熱器を設けた実施例２及び比較例２及び比較例３の足温器を作成した。【００１９】実施例１及び実施例２並びに比較例１及び比較例２及び比較例３で作成した足温器のイオン測定と遠赤外線測定をした。
イオン測定方法は、空気イオンカウンターＩＴＣ−２０１Ｃ  アンデス電気製を用いて、５分間平均のマイナスイオン生成数とプラスイオン生成数を測定した。遠赤外線測定は、ＦＴＩＲ測定器で、３５℃及び５０℃、波長４〜１４μの平均遠赤外線放射率を求めた。
それらの結果を、表２及び表３に示した。【００２０】
【表２】
2005342478.tif 000004
【００２１】
【表３】
2005342478.tif 000005
【００２２】実施例１から明らかなように、堆積礫岩の石板を使った足温器は、５０℃の加熱により、遠赤外線の放射率が高増幅して放射している。
また、実施例２から明らかなように、釉薬に、堆積礫岩粉末とモナズ石粉末を配合させた釉薬混合物を、石板に加工した足温器は、プラスイオンよりもマイナスイオンの方が多く生成しつつ、同時に遠赤外線が増幅放射している。【００２３】一方、比較例１では、大理石の石板を使った足温器では、５０℃の加熱でも遠赤外線の増幅効果はなく、遠赤外線の放射は、非常に低いものであった。
また、比較例２では、マイナスイオンよりもプラスイオンの方が多く生成しているため、マイナスイオン本来の効果に乏しいもので、同時に生成する遠赤外線も非常に低い放射率であった。また、比較例３では、５０℃の加熱でも遠赤外線の増幅効果は低いものであった。【００２４】本発明をより効果があることを実証するために、遠赤外線の増幅効果と、マイナスイオン効果を利用した治癒機能を有する足温器としての実施例及び比較例をあげて、詳細を明らかにしていく。
上記、実施例１及び２、並びに比較例１及び２及び３で作成した足温器の試験方法として、膝の関節痛の人、脚部の筋肉痛の人、腰痛の人、脚部の疲労の人を選任して、ランダムに、実施例１及び２、並びに比較例１及び２及び３の足温器を、温度５０℃に設定して、１日の使用時間２時間として、１０日間、各々２０名に使用してもらい、各々の人にアンケート結果をとった。  結果の判定方法は、各々２０名平均の治癒効果の治癒率％と治癒状態を示した。
その結果を、表４及び表５に示した。【００２５】
【表４】
2005342478.tif 000006
【００２６】
【表５】
2005342478.tif 000007
【００２７】表４及び表５の実施例１及び実施例２の足温器の試験使用結果から明らかなように、全ての人が膝の関節痛、脚部の関節痛及び筋肉痛、腰痛、脚部の疲労に、完全に治癒するという良好な効果が認められた。この作用効果としては、遠赤外線の加熱による増幅作用であり、またプラスイオンよりもマイナスイオンの方が多く同時生成しつつ、同時に遠赤外線が増幅放射する作用である。この作用が、人体の各部の患部の痛み及び疲労を治癒したことは明らかである。【００２８】一方、表４及び表５の比較例１及び２及び３の使用試験結果から明らかなように、全ての人が全く効果がなかった。低放射率の遠赤外線の効果と、マイナスイオンよりもプラスイオンの方が多いイオン効果では、治癒効果がないことが明らかとなった。
【産業上の利用可能性】
【００２９】治癒効果を有する足温器を使用するだけで、脚部、腰部の関節痛及び筋肉痛及び疲労が治癒する効果があるとすれば、現在、痛みや疲労で悩んでいる人々が、各家庭や各職場で手軽に治療出来、安価な価格で購入しやすく手に入れやすくなる。
【図面の簡単な説明】
【００３０】
【図１】足温器の斜視図
【図２】足温器の裏面図
【図３】図２のＡ−Ａ断面拡大図
【符号の説明】
【００３１】１．石板
２．面上ヒーター部
３．金属回路
４．ラミネートフィルム
５．加熱コントロール器
６．枠体
【図１】
2005342478.tif 000008
【図２】
2005342478.tif 000009
【図３】
2005342478.tif 000010